(57)【要約】【課題】  安定した画像配信サービスを供給する。【解決手段】  画像配信サーバ２は、ＬＣＤ１４ａをもつ携帯電話機１４に画像データを配信するために、ＬＣＤ１４ａの仕様に合わせた画像処理を原画像データに対して施す画像処理部２６と、原画像データのもつ個人識別ＩＤに対応付けて画像処理の内容を格納する履歴格納部２５とを備える。画像処理部２６は、履歴格納部２５から、個人識別ＩＤに対応した画像処理の内容を、最適な画像処理の内容として抽出し、携帯電話機１４からの画像データの配信要求信号を受ける前に、抽出した画像処理の内容に則って、画像処理を予め終えておく。【選択図】        図２
2006139586.tif 000002
【特許請求の範囲】
【請求項１】
画像表示機能をもつ携帯型情報端末に画像データを配信するために、前記画像表示機能の仕様に合わせた画像処理を原画像データに対して施す画像処理部を備えた画像配信サーバであって、
前記画像処理の内容の履歴を格納する履歴格納部を設けるとともに、
前記画像処理部は、前記履歴格納部から最適な画像処理の内容を抽出し、前記携帯型情報端末からの画像データの配信要求信号を受ける前に、抽出した画像処理の内容に則って、前記画像処理を予め終えておくことを特徴とする画像配信サーバ。
【請求項２】
前記履歴格納部は、前記原画像データのもつ固有の識別情報に対応付けて前記画像処理の内容を格納し、
前記画像処理部は、前記識別情報に対応した前記画像処理の内容を、前記最適な画像処理の内容として抽出することを特徴とする請求項１に記載の画像配信サーバ。
【請求項３】
前記履歴格納部は、前記画像処理の内容とその処理回数とを格納し、
前記画像処理部は、前記処理回数が最も多い画像処理の内容を、前記最適な画像処理の内容として抽出することを特徴とする請求項１に記載の画像配信サーバ。
【請求項４】
前記原画像データを格納するメインメモリと、前記携帯型情報端末に配信する画像データを格納するバッファメモリとを備えたことを特徴とする請求項１ないし３のいずれかに記載の画像配信サーバ。
【請求項５】
前記画像処理部は、前記原画像データ、および前記配信要求信号を受信していない待機状態のときに、前記配信要求信号を受ける前の前記画像処理を施すことを特徴とする請求項１ないし４のいずれかに記載の画像配信サーバ。
【請求項６】
前記画像処理部は、前記画像処理を予め終えておいた画像データの画像処理の内容と一致しない仕様の画像表示機能をもつ携帯型情報端末からの配信要求信号を受けた場合には、この携帯型情報端末に応じた画像処理を、前記原画像データに対して再度施すことを特徴とする請求項１ないし５のいずれかに記載の画像配信サーバ。
【請求項７】
前記携帯型情報端末は、携帯電話機であることを特徴とする請求項１ないし６のいずれかに記載の画像配信サーバ。
【請求項８】
携帯型情報端末のもつ画像表示機能の仕様に合わせた画像処理を原画像データに対して施し、この画像処理済みの画像データを前記携帯型情報端末に配信する画像配信方法であって、
前記画像処理の内容の履歴を格納するとともに、
前記履歴から最適な画像処理の内容を抽出し、前記携帯型情報端末からの画像データの配信要求信号を受ける前に、抽出した画像処理の内容に則って、前記画像処理を予め終えておくことを特徴とする画像配信方法。
【請求項９】
前記履歴として、前記原画像データのもつ固有の識別情報に対応付けて前記画像処理の内容を格納し、
前記識別情報に対応した前記画像処理の内容を、前記最適な画像処理の内容として抽出することを特徴とする請求項８に記載の画像配信方法。
【請求項１０】
前記履歴として、前記画像処理の内容とその処理回数とを格納し、
前記処理回数が最も多い画像処理の内容を、前記最適な画像処理の内容として抽出することを特徴とする請求項８に記載の画像配信方法。
【請求項１１】
前記原画像データと、前記携帯型情報端末に配信する画像データとを、別々のメモリに格納することを特徴とする請求項８ないし１０のいずれかに記載の画像配信方法。
【請求項１２】
前記原画像データ、および前記配信要求信号を受信していない待機状態のときに、前記配信要求信号を受ける前の前記画像処理を施すことを特徴とする請求項８ないし１１のいずれかに記載の画像配信方法。
【請求項１３】
前記画像処理を予め終えておいた画像データの画像処理の内容と一致しない仕様の画像表示機能をもつ携帯型情報端末からの配信要求信号を受けた場合には、この携帯型情報端末に応じた画像処理を、前記原画像データに対して再度施すことを特徴とする請求項８ないし１２のいずれかに記載の画像配信方法。
【請求項１４】
前記携帯型情報端末は、携帯電話機であることを特徴とする請求項８ないし１３のいずれかに記載の画像配信方法。
【発明の詳細な説明】
【技術分野】
【０００１】
画像表示機能をもつ携帯型情報端末に画像データを配信するために、画像表示機能の仕様に合わせた画像処理を原画像データに対して施す画像処理部を備えた画像配信サーバ、および携帯型情報端末のもつ画像表示機能の仕様に合わせた画像処理を原画像データに対して施し、この画像処理済みの画像データを携帯型情報端末に配信する画像配信方法に関する。
【背景技術】
【０００２】
デジタルカメラで撮影した画像データ（原画像データ）を、携帯電話機やＰＤＡ（Personal Digital Assistants）などの画像表示機能をもつ携帯型情報端末に配信するサービスが普及している。このようなサービスでは、携帯型情報端末の画像表示機能の仕様に合わせた画像処理（縮小、切り出し、間引き、減色など）を原画像データに対して施す画像処理部を備えた画像配信サーバが具備されている（特許文献１参照）。
【特許文献１】特開２００２−３５４２７２号公報
【発明の開示】
【発明が解決しようとする課題】
【０００３】
特許文献１に記載の技術では、原画像データを取り込んだときに、携帯型情報端末の機種毎に用意された画像処理の内容で、原画像データに対して画像処理を施し、複数の配信用画像データを作成しておき、携帯型情報端末からの画像データの配信要求信号を受けたときに、複数の配信用画像データの中から、配信要求信号を送信した携帯型情報端末の機種に該当する画像データを選択して配信するか、あるいは、配信要求信号を受けたときに、その携帯型情報端末の機種に応じた画像処理を施して画像データを配信している。このため、原画像データ、あるいは配信要求信号の送信頻度が高くなると、画像処理部に負担が掛かり、最悪の場合は画像処理部がオーバーワークとなってサービスが停止するおそれがあった。また、原画像データを取り込んだときに複数の配信用画像データを作成する前者の手法では、携帯型情報端末に配信される画像データは結局一つだけであり、他の画像データは無駄になるという問題があった。
【０００４】
上記問題を解決する手段として、原画像データ、あるいは配信要求信号の送信頻度の上限を見込んで、単純に画像処理部の性能を高くすることも考えられるが、送信頻度が比較的低いと思われる夜間などでは、画像処理部の性能をフルに活用する必要がないため、画像処理部の性能を高くする分、コストが嵩むという欠点がある。
【０００５】
本発明は、上記課題を鑑みてなされたものであり、安定したサービスを供給することができる画像配信サーバ、および画像配信方法を提供することを目的とする。
【課題を解決するための手段】
【０００６】
上記目的を達成するために、本発明は、画像表示機能をもつ携帯型情報端末に画像データを配信するために、前記画像表示機能の仕様に合わせた画像処理を原画像データに対して施す画像処理部を備えた画像配信サーバであって、前記画像処理の内容の履歴を格納する履歴格納部を設けるとともに、前記画像処理部は、前記履歴格納部から最適な画像処理の内容を抽出し、前記携帯型情報端末からの画像データの配信要求信号を受ける前に、抽出した画像処理の内容に則って、前記画像処理を予め終えておくことを特徴とする。
【０００７】
なお、前記履歴格納部は、前記原画像データのもつ固有の識別情報に対応付けて前記画像処理の内容を格納し、前記画像処理部は、前記識別情報に対応した前記画像処理の内容を、前記最適な画像処理の内容として抽出することが好ましい。
【０００８】
あるいは、前記履歴格納部は、前記画像処理の内容とその処理回数とを格納し、前記画像処理部は、前記処理回数が最も多い画像処理の内容を、前記最適な画像処理の内容として抽出することが好ましい。
【０００９】
また、前記原画像データを格納するメインメモリと、前記携帯型情報端末に配信する画像データを格納するバッファメモリとを備えることが好ましい。
【００１０】
また、前記画像処理部は、前記原画像データ、および前記配信要求信号を受信していない待機状態のときに、前記配信要求信号を受ける前の前記画像処理を施すことが好ましい。
【００１１】
また、前記画像処理部は、前記画像処理を予め終えておいた画像データの画像処理の内容と一致しない仕様の画像表示機能をもつ携帯型情報端末からの配信要求信号を受けた場合には、この携帯型情報端末に応じた画像処理を、前記原画像データに対して再度施すことが好ましい。
【００１２】
さらに、前記携帯型情報端末は、携帯電話機であることが好ましい。
【００１３】
また、本発明は、携帯型情報端末のもつ画像表示機能の仕様に合わせた画像処理を原画像データに対して施し、この画像処理済みの画像データを前記携帯型情報端末に配信する画像配信方法であって、前記画像処理の内容の履歴を格納するとともに、前記履歴から最適な画像処理の内容を抽出し、前記携帯型情報端末からの画像データの配信要求信号を受ける前に、抽出した画像処理の内容に則って、前記画像処理を予め終えておくことを特徴とする。
【００１４】
なお、前記履歴として、前記原画像データのもつ固有の識別情報に対応付けて前記画像処理の内容を格納し、前記識別情報に対応した前記画像処理の内容を、前記最適な画像処理の内容として抽出することが好ましい。
【００１５】
あるいは、前記履歴として、前記画像処理の内容とその処理回数とを格納し、前記処理回数が最も多い画像処理の内容を、前記最適な画像処理の内容として抽出することが好ましい。
【００１６】
また、前記原画像データと、前記携帯型情報端末に配信する画像データとを、別々のメモリに格納することが好ましい。
【００１７】
また、前記原画像データ、および前記配信要求信号を受信していない待機状態のときに、前記配信要求信号を受ける前の前記画像処理を施すことが好ましい。
【００１８】
また、前記画像処理を予め終えておいた画像データの画像処理の内容と一致しない仕様の画像表示機能をもつ携帯型情報端末からの配信要求信号を受けた場合には、この携帯型情報端末に応じた画像処理を、前記原画像データに対して再度施すことが好ましい。
【００１９】
さらに、前記携帯型情報端末は、携帯電話機であることが好ましい。
【発明の効果】
【００２０】
本発明の画像配信サーバ、および画像配信方法によれば、画像処理の内容の履歴を履歴格納部に格納するとともに、履歴から最適な画像処理の内容を抽出し、携帯型情報端末からの画像データの配信要求信号を受ける前に、抽出した画像処理の内容に則って、画像処理部で画像処理を予め終えておくので、原画像データや配信要求信号の送信頻度が高くなっても、画像処理部に負担が掛からない。したがって、安定したサービスを供給することができる。
【発明を実施するための最良の形態】
【００２１】
図１において、本発明を適用した画像配信サーバ２は、インターネット１０および電話回線網１１に接続されている。この画像配信サーバ２は、インターネット１０を経由して、パーソナルコンピュータ１２に接続されたデジタルカメラ１３から画像データ（原画像データ）を取り込むとともに、電話回線網１１を経由して、携帯電話機１４に画像データを配信する画像配信サービスを行う。
【００２２】
原画像データには、これを送信した画像配信サービスの利用者を表す個人識別ＩＤ（図３参照）や、撮影日時、撮影条件などが記述されたタグ情報などが付随され、これらが一つのデータの纏まりとして、画像配信サーバ２に取り込まれる。
【００２３】
個人識別ＩＤは、例えば、画像配信サービスの初回利用時に、利用者に会員登録をさせるなどして、各利用者に割り当てられ、画像配信サーバ２で管理される。この個人識別ＩＤは、会員登録時に入力された利用者の個人情報（住所、氏名、年齢、デジタルカメラ１３の機種など）と対応付けて、画像配信サーバ２のメインメモリ２３（図２参照）に格納される。
【００２４】
携帯電話機１４は、画像表示機能としての液晶表示器（ＬＣＤ）１４ａを備えている。携帯電話機１４は、利用者の操作に応じて、画像データの配信を要求する配信要求信号を画像配信サーバ２に送信する。配信要求信号には、利用者により入力される前述の個人識別ＩＤや、ＬＣＤ１４ａの仕様情報（画像表示サイズ、表示可能色など）も含まれる。
【００２５】
図２に示すように、画像配信サーバ２は、主制御部２０により全体を統括的に制御される。主制御部２０には、バス２１を介して、通信Ｉ／Ｆ２２、メインメモリ２３、バッファメモリ２４、履歴格納部２５、および画像処理部２６が接続されている。
【００２６】
通信インターフェイス（Ｉ／Ｆ）２２は、インターネット１０を経由した原画像データの受信、および電話回線網１１を経由した携帯電話機１４からの配信要求信号の受信、並びに携帯電話機１４への画像データの配信を媒介する。
【００２７】
メインメモリ２３は、通信Ｉ／Ｆ２２を介して受信された原画像データを、個人識別ＩＤやタグ情報などを含んだ一纏まりのデータとして格納する。また、メインメモリ２３は、携帯電話機１４の機種に対応した画像処理の内容を保持している。
【００２８】
バッファメモリ２４は、携帯電話機１４に配信される画像データを一時的に格納する。携帯電話機１４に配信されたバッファメモリ２４内の画像データは消去され、画像処理部２６で後述する画像処理を終えた画像データが新たに書き込まれる。
【００２９】
図３に概念的に示すように、履歴格納部２５は、個人識別ＩＤに対応付けて、画像処理部２６で施す画像処理の内容を格納する。履歴格納部２５に格納される画像処理の内容は、例えば、携帯電話機１４から画像配信サーバ２に配信要求信号を初めて送信した際に、配信要求信号とともに送信されるＬＣＤ１４ａの仕様情報に応じて、メインメモリ２３で保持された携帯電話機１４の機種毎の画像処理の内容から抽出され、実際に画像処理部２６で行ったもの、つまり、初回の画像処理の内容となっている。
【００３０】
また、履歴格納部２５は、詳しくは後述するように、画像処理を予め終えておいた画像データの画像処理の内容と一致しない仕様の画像表示機能をもつ携帯電話機からの配信要求信号を受け、画像処理部２６で画像処理を再度施した場合には、いままで格納していた画像処理の内容から、再度施したときの画像処理の内容に書き換える。
【００３１】
画像処理の内容の「１６０×１６０」、「２００×２００」などは、ＬＣＤ１４ａの縦横の画像表示サイズ（画素数）を表す。また、「２４ｂｉｔ」、「８ｂｉｔ」などは、ＬＣＤ１４ａの表示可能色（階調値）を表し、２４ｂｉｔでは約１６７７万階調のフルカラー画像を表示可能であることを示し、８ｂｉｔでは２５６階調の画像を表示可能であることを示す。さらに、「未登録」は、配信要求信号が一度も送信されておらず、画像処理部２６で一回も画像処理を施していない場合を表す。
【００３２】
画像処理部２６は、縮小、切り出し、間引き、減色などの各種画像処理を原画像データに対して施す。この画像処理部２６は、履歴格納部２５から、個人識別ＩＤに対応した画像処理の内容を、最適な画像処理の内容として抽出し（つまり、例えば、図３に示す「ＩＤ００００１」の利用者からの原画像データに対しては、画像処理の内容として、画像表示サイズ「１６０×１６０」、階調値「２４ｂｉｔ」を抽出する。）、携帯電話機１４から配信要求信号を受ける前に、抽出した画像処理の内容に則って、画像処理を予め終えておく。
【００３３】
一方、配信要求信号が一度も送信されておらず、画像処理部２６で一回も画像処理を施していない（履歴格納部２５に格納された画像処理の内容が「未登録」である）利用者の携帯電話機から配信要求信号を受けた場合、画像処理部２６は、メインメモリ２３で保持された携帯電話機１４の機種毎の画像処理の内容から、配信要求信号に含まれるその携帯電話機のＬＣＤの仕様情報に応じた画像処理の内容を抽出し、これを元に画像処理を行う。
【００３４】
また、画像処理部２６は、例えば夜間など、原画像データ、および配信要求信号を受信していない待機状態のときに、前述の画像処理を原画像データに対して施す。さらに、画像処理部２６は、画像処理を予め終えておいた画像データの画像処理の内容と一致しない仕様の画像表示機能をもつ携帯電話機からの配信要求信号を受けた場合には、メインメモリ２３に保持された携帯電話機１４の機種毎の画像処理の内容から、その仕様情報に応じた画像処理の内容を抽出し、抽出した内容で画像処理を原画像データに対して再度施す。
【００３５】
画像処理部２６は、画像処理を施した画像データに対して、例えば、ＧＩＦ（Graphics Interchange Format ）や、ＰＮＧ（Portable Network Graphics ）などの可逆圧縮方式で圧縮処理を施し、これをバッファメモリ２４に格納する。
【００３６】
以下、上記構成による作用について、図４〜図６に示すフローチャートを参照して説明する。まず、図４において、インターネット１０を経由して、パーソナルコンピュータ１２に接続されたデジタルカメラ１３から原画像データを受信すると、受信した原画像データが、個人識別ＩＤやタグ情報とともに一纏まりのデータとしてメインメモリ２３に格納される。
【００３７】
図５において、電話回線網１１を経由して、携帯電話機１４から配信要求信号を受信すると、配信要求信号から個人識別ＩＤとＬＣＤ１４ａの仕様情報とが抽出される。次いで、抽出した個人識別ＩＤに対応する処理済みの画像データが、バッファメモリ２４内に格納されているか否かが確認される。
【００３８】
個人識別ＩＤに対応する処理済みの画像データがバッファメモリ２４内に格納されていた場合は、抽出した仕様情報と、画像処理部２６で施したその画像データの画像処理の内容とが一致しているか否かが確認される。仕様情報と画像処理の内容とが一致していた場合は、その画像データがバッファメモリ２４から携帯電話機１４に向けて配信される。
【００３９】
一方、個人識別ＩＤに対応する処理済みの画像データがバッファメモリ２４内に格納されていなかった場合、および仕様情報と画像処理の内容とが一致していなかった場合は、図６の右側に示すように、メインメモリ２３に保持された携帯電話機１４の機種毎の画像処理の内容から、その仕様情報に応じた画像処理の内容が抽出され、これを元に、画像処理部２６で原画像データに対して画像処理が施される。このとき、仕様情報に応じて抽出された画像処理の内容は、履歴格納部２５に個人識別ＩＤと対応付けて格納される。画像処理が施された画像データは、配信用の画像データとしてバッファメモリ２４に一旦格納され、携帯電話機１４に向けて配信される。
【００４０】
図６の左側に示すように、原画像データ、および配信要求信号を受信していない待機状態において、メインメモリ２３内に画像処理を施していない未処理の原画像データがある場合は、その原画像データのもつ個人識別ＩＤが抽出され、抽出された個人識別ＩＤに対応する画像処理の内容が、履歴格納部２５内に格納されているか否かが確認される。メインメモリ２３内に未処理の原画像データがない場合は、再び待機状態に戻る。
【００４１】
個人識別ＩＤに対応する画像処理の内容が、履歴格納部２５内に格納されていた場合、画像処理部２６では、格納されていた画像処理の内容に則って、未処理の原画像データに対して画像処理が施される。画像処理が施された画像データは、配信用の画像データとしてバッファメモリ２４に格納される。一方、個人識別ＩＤに対応する画像処理の内容が、履歴格納部２５内に格納されていなかった場合は、再び待機状態に戻る。
【００４２】
上記のように、個人識別ＩＤに対応付けて画像処理の内容を履歴格納部２５に格納し、個人識別ＩＤに対応した画像処理の内容を、最適な画像処理の内容として抽出し、配信要求信号を受ける前に、抽出した画像処理の内容に則って、画像処理部２６で画像処理を予め終えておくので、原画像データや配信要求信号の送信頻度が高くなっても、画像処理部２６に負担が掛からない。
【００４３】
また、原画像データ、および配信要求信号を受信していない待機状態のときに、画像処理部２６で画像処理を施すので、画像処理部２６の性能を高くする必要がなく、画像配信サーバ２全体の処理負担も軽減させることができる。
【００４４】
なお、上記実施形態では、画像処理の内容の履歴として、個人識別ＩＤに対応付けて画像処理の内容を履歴格納部２５に格納しているが、図７に概念的に示すように、画像処理の内容とその処理回数とを格納してもよい。
【００４５】
この場合、図８のフローチャートに示すように、電話回線網１１を経由して、携帯電話機１４から配信要求信号を受信すると、画像配信サーバ２では、配信要求信号から個人識別ＩＤとＬＣＤ１４ａの仕様情報とが抽出される。次いで、抽出した個人識別ＩＤに対応する処理済みの画像データの画像処理の内容と、抽出した仕様情報とが一致しているか否かが確認される。仕様情報と画像処理の内容とが一致していた場合は、その画像データがバッファメモリ２４から携帯電話機１４に向けて配信される。
【００４６】
一方、仕様情報と画像処理の内容とが一致していなかった場合は、図９の右側に示すように、メインメモリ２３に保持された携帯電話機１４の機種毎の画像処理の内容から、その仕様情報に応じた画像処理の内容が抽出され、これを元に、画像処理部２６で原画像データに対して画像処理が施される。このとき、画像処理部２６で施した画像処理の内容の処理回数がカウントされて履歴格納部２５に格納される。画像処理が施された画像データは、配信用の画像データとしてバッファメモリ２４に一旦格納され、携帯電話機１４に向けて配信される。
【００４７】
図９の左側に示すように、原画像データ、および配信要求信号を受信していない待機状態において、メインメモリ２３内に画像処理を施していない未処理の原画像データがある場合は、処理回数が最も多い画像処理の内容が、最適な画像処理の内容として抽出され、この画像処理の内容に則って、画像処理部２６により未処理の原画像データに対して画像処理が施される。画像処理が施された画像データは、配信用の画像データとしてバッファメモリ２４に格納される。このときも仕様情報と画像処理の内容とが一致していなかった場合と同様に、画像処理部２６で施した画像処理の内容の処理回数がカウントされて履歴格納部２５に格納される。メインメモリ２３内に未処理の原画像データがない場合は、再び待機状態に戻る。
【００４８】
このようにすると、図４〜図６に示す実施形態のように、個人識別ＩＤに対応する処理済みの画像データがバッファメモリ２４内に格納されているか否かを、画像データの配信時に確認したり、画像処理時に個人識別ＩＤを抽出する必要がなく、その分処理の高速化を図ることができる。なお、ここでは、画像配信サービス全体の画像処理の内容の処理回数を履歴として格納しているが、利用者毎の画像処理の内容の処理回数を格納してもよい。
【００４９】
なお、上記実施形態では、原画像データ、および配信要求信号を受信していない待機状態のときに、画像処理部２６で画像処理を施しているが、原画像データを受信した直後に画像処理を施すようにしてもよく、画像配信サーバ２自体を、原画像データ、および配信要求信号の受信と並行して、画像処理を施せるような構成としてもよい。
【００５０】
また、上記実施形態では、携帯型情報端末の例として、携帯電話機１４を挙げて説明したが、本発明はこれに限定されず、他の携帯型情報端末、例えば、ＰＤＡ（Personal Digital Assistants）などに画像データを配信してもよい。さらに、原画像データの送信元としては、上記実施形態のデジタルカメラ１３に限らず、カメラ付き携帯電話機や、インターネット１０で接続された画像提供サーバ、パーソナルコンピュータなどでもよい。
【図面の簡単な説明】
【００５１】
【図１】本発明を適用した画像配信サーバの接続環境を示す概略図である。
【図２】画像配信サーバの概略構成を示すブロック図である。
【図３】履歴格納部に格納される個人識別ＩＤに対応付けた画像処理の内容を概念的に示す説明図である。
【図４】原画像データを受信した際の処理手順を示すフローチャートである。
【図５】画像データを配信する際の処理手順を示すフローチャートである。
【図６】画像処理の手順を示すフローチャートである。
【図７】履歴格納部に格納される画像処理の内容とその処理回数とを概念的に示す説明図である。
【図８】画像データを配信する際の処理手順を示すフローチャートである。
【図９】画像処理の手順を示すフローチャートである。
【符号の説明】
【００５２】
２  画像配信サーバ
１４  携帯電話機
１４ａ  液晶表示器（ＬＣＤ）
２０  主制御部
２２  通信Ｉ／Ｆ
２３  メインメモリ
２４  バッファメモリ
２５  履歴格納部
２６  画像処理部
【図１】
2006139586.tif 000003
【図２】
2006139586.tif 000004
【図３】
2006139586.tif 000005
【図４】
2006139586.tif 000006
【図５】
2006139586.tif 000007
【図６】
2006139586.tif 000008
【図７】
2006139586.tif 000009
【図８】
2006139586.tif 000010
【図９】
2006139586.tif 000011